(57)【要約】【課題】黒板やホワイトボードとして使用しながら、同時に投影用スクリーンとしても使用可能な多機能ボードを提供する。【解決手段】脚付き多機能ボード（１−１）は、多機能ボード（１）、下部支脚（２）、下部支脚（２）の底部に配置されたローラー（５）、多機能ボード（１）を固定して下部支脚（２）と連結する固定パイプ枠（３）、光源（１０４）の電源（４）、を含む脚付き多機能ボード（１−１）であって、多機能ボード（１）は、固定側枠（１０５）の内部に配置して固定された導光板（１０１）と、導光板（１０１）の一方の面に設けられた背面投影スクリーンフィルム（１０３）と、導光板（１０１）の少なくとも一つの端部に配置された前記光源（１０４）と、からなる。【選択図】図１
2011053677.tif 000002
【特許請求の範囲】
【請求項１】
多機能ボード、下部支脚、前記下部支脚の底部に配置されたローラー、前記多機能ボードを固定して前記下部支脚と連結する固定パイプ枠、光源の電源、を含む脚付き多機能ボードであって、
前記多機能ボードは、
固定側枠の内部に配置して固定された導光板と、
前記導光板の一方の面に設けられた背面投影スクリーンフィルムと、
前記導光板の少なくとも一つの端部に配置された前記光源と、
からなることを特徴とする脚付き多機能ボード。
【請求項２】
前記導光板の前記背面投影スクリーンフィルムを接着または配置する側とは反対側の面に、筆記層を設けてなることを特徴とする請求項１記載の脚付き多機能ボード。
【請求項３】
前記光源はＬＥＤであることを特徴とする請求項１記載の脚付き多機能ボード。
【請求項４】
固定側枠の内部に配置して固定された導光板と、
前記導光板の一方の面に設けられた背面投影スクリーンフィルムと、
前記導光板の少なくとも一つの端部に配置された光源と、
からなることを特徴とする多機能ボード。
【請求項５】
前記導光板の前記背面投影スクリーンフィルムを接着または配置する側とは反対側の面に、筆記層を設けてなることを特徴とする請求項４記載の多機能ボード。
【請求項６】
前記光源はＬＥＤであることを特徴とする請求項４記載の多機能ボード。
【発明の詳細な説明】
【技術分野】
【０００１】
本発明は、黒板やホワイトボードとして使用しながら、同時に投影用スクリーンとしても使用可能な多機能ボードに関する。
【背景技術】
【０００２】
現在では、学校や会議の会場で、黒板やホワイトボードを使いながら、投影装置を使っているため、投影用スクリーンは欠かせないものになっている。しかし、黒板やホワイトボードと投影用スクリーンとを別々に使用すると、大変不便であり、大きな設置スペースが必要となる。また、普通の黒板やホワイトボードでは、暗い環境で使用すると板面に書かれたものが見にくくなるという問題がある（特許文献１）。
【先行技術文献】
【特許文献】
【０００３】
【特許文献１】特開平１０−０００８９６号公報
【発明の概要】
【発明が解決しようとする課題】
【０００４】
そこで、上記課題を解決するため、本発明者は鋭意研究した結果、本発明に至ったものである。
【課題を解決するための手段】
【０００５】
上記課題を解決する本発明の脚付き多機能ボードは、多機能ボード、下部支脚、前記下部支脚の底部に配置されたローラー、前記多機能ボードを固定して前記下部支脚と連結する固定パイプ枠、光源の電源、を含む脚付き多機能ボードであって、前記多機能ボードは、固定側枠の内部に配置して固定された導光板と、前記導光板の一方の面に設けられた背面投影スクリーンフィルムと、前記導光板の少なくとも一つの端部に配置された前記光源と、からなることを特徴とするものである。
【０００６】
また、前記導光板の前記背面投影スクリーンフィルムを接着または配置する側とは反対側の面に、筆記層を設けてなることを特徴とするものである。
【０００７】
さらに、前記光源はＬＥＤであることを特徴とするものである。
【０００８】
また、本発明の多機能ボードは、固定側枠の内部に配置して固定された導光板と、前記導光板の一方の面に設けられた背面投影スクリーンフィルムと、前記導光板の少なくとも一つの端部に配置された光源と、からなることを特徴とするものである。
【０００９】
また、前記導光板の前記背面投影スクリーンフィルムを接着または配置する側とは反対側の面に、筆記層を設けてなることを特徴とするものである。
【００１０】
さらに、前記光源はＬＥＤであることを特徴とするものである。
【発明の効果】
【００１１】
本発明によると、黒板やホワイトボードと投影用スクリーンとを同時に併用することができ、省スペースにすることができる。また、普通の黒板やホワイトボードの機能を有し、発光機能により板面から蛍光が発光されて、暗い部屋で用いた場合でも板面に書かれたものが生き生きとしてはっきり見ることができる。さらに、プロジェクタを利用して、背面から画像を投影しながらボードの正面に文字などを書くことができるので、非常に便利である。
【図面の簡単な説明】
【００１２】
【図１】本発明の多機能ボードの一実施形態を示す断面図
【図２】本発明の脚付き多機能ボードの一実施形態を示す概略図
【発明を実施するための形態】
【００１３】
本発明の脚付き多機能ボードは、多機能ボード、下部支脚、前記下部支脚の底部に配置されたローラー、前記多機能ボードを固定して前記下部支脚と連結する固定パイプ枠、光源の電源、を含む脚付き多機能ボードであって、前記多機能ボードは、固定側枠の内部に配置して固定された導光板と、前記導光板の一方の面に設けられた背面投影スクリーンフィルムと、前記導光板の少なくとも一つの端部に配置された前記光源と、からなることを特徴とするものである。以下、各構成要素の実施の形態を説明する。
【００１４】
本発明の脚付き多機能ボードは、ボードに発光可能な導光板と背面から画像を投影可能な背面投影スクリーンフィルムとを設けて、ボードを発光したり背面からボードに画像を投影したり罫線や文字を書いたりできる脚付き多機能ボードを提供することができる。たとえば、図１、図２のように脚付き多機能ボード（１−１）は、多機能ボード（１）、下部支脚（２）、前記下部支脚（２）の底部に配置されたローラー（５）、前記多機能ボード（１）を固定して前記下部支脚（２）と連結する固定パイプ枠（３）、光源（１０４）の電源（４）、を含む脚付き多機能ボード（１−１）であって、前記多機能ボード（１）は、固定側枠（１０５）の内部に配置して固定された導光板（１０１）と、前記導光板（１０１）の一方の面に設けられた背面投影スクリーンフィルム（１０３）と、前記導光板（１０１）の少なくとも一つの端部に配置された前記光源（１０４）と、から構成されている。
【００１５】
以下に、多機能ボード（１）の構成について説明する。
【００１６】
導光板（１０１）は、少なくとも一つの側端部を光入射面とし、これと略直交する両側の面を光射出面とする。
【００１７】
図１のように導光板（１０１）は、固定側枠（１０５）の内部に配置して固定する。また、導光板（１０１）の少なくとも一側端部に光源（１０４）を配置する。
【００１８】
このようにして、導光板（１０１）は、光源（１０４）からの光を導くことによりボードを明るく発光させることができる。
【００１９】
導光板のヘーズ（ＪＩＳ  Ｋ７１３６：２０００）は、２％以上であることが好ましい。ヘーズを２％以上とすることにより、導光板の光出射面側から十分に光を出射させ、多機能ボードとした際の輝度を十分にしやすくできる。このように、導光板のヘーズを増加させると、導光板の光出射面側の輝度を増加させることができ、後述する筆記層に手書きした文字を見やすくできる。
【００２０】
さらに、導光板のヘーズは１０％以上４０％以下とするのが好ましい。たとえば、導光板のヘーズは１０％以上とすることにより、光出射面から出射される光量を増加させることができ、手書きした文字を背後から明るく照らしてより見やすくできる。また、導光板のヘーズは、４０％以下とすることにより、スクリーンに投影された画像が光拡散しすぎることによるスクリーン画像の劣化をしにくくすることができる。このため、スクリーンの投影画像は、導光板を通して見たときに、スクリーンの投影画像を見やすくできる。
【００２１】
導光板のヘーズは、導光板の厚みや導光板中の光拡散剤の添加量により調整することができる。例えば、ヘーズを２〜４０％とするには、導光板の厚みを２〜２０ｍｍとし、光拡散剤を透明樹脂１００重量部に対して０．３×１０−５〜０．１重量部含有させる。
【００２２】
導光板の厚みは、２０ｍｍ以下とするのが好ましい。導光板の厚みは、２０ｍｍ以下とすることにより、導光板中の厚みによるスクリーンの投影画像の拡散を少なくしやすくして、画像の滲みをし難くすることができる。
【００２３】
多機能ボードを構成する導光板は、透明樹脂又はガラス中に光拡散剤を練りこみ、これを略平板状に成形することにより得ることができる。
【００２４】
透明樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ポリエチレン系樹脂、ポリスチレン系樹脂、ポリアミド系樹脂、ポリイミド系樹脂、メラミン系樹脂、フェノール系樹脂、シリコーン系樹脂などの熱可塑性樹脂、熱硬化性樹脂、電離放射線硬化性樹脂などがあげられる。これらの中でも光学特性に優れるアクリル系樹脂が好適に使用され、その中でもポリメチルメタクリレート樹脂が特に好適である。
【００２５】
ガラスは、光拡散層の光透過性が失われるものでなければ特に限定されるものではないが、一般にはケイ酸塩ガラス、リン酸塩ガラス、ホウ酸塩ガラスなどの酸化ガラスなどがあげられる。
【００２６】
光拡散剤としては、炭酸カルシウム、炭酸マグネシウム、硫酸バリウム、シリカ、水酸化アルミニウム、カオリン、クレー、タルク、マイカ、パール等の無機微粒子や、アクリル樹脂粒子、シリコーン樹脂粒子、ポリスチレン樹脂粒子、ポリウレタン樹脂粒子、ポリエチレン樹脂粒子、ベンゾグアナミン樹脂粒子、エポキシ樹脂粒子等の有機微粒子又は透明な樹脂ビーズなどがあげられる。
【００２７】
背面投影スクリーンフィルム（１０３）は、プロジェクタからの画像を背面投影スクリーンフィルム（１０３）に結像させ、プロジェクタとは反対側から画像を見ることを可能とする役割を有するものである。
【００２８】
この透過型スクリーンは、限定されるものではないが、少なくとも光拡散層から構成される。この光拡散層は、主として微粒子と透明バインダーから構成される。
【００２９】
透明バインダーは、透明であるとともに微粒子を均一に分散保持できるものであればよく、固体に限定されず液体や液晶などの流動体であってもよい。但し、光拡散層単体で透過型スクリーンの形状を維持しやすくするためには、ガラスや高分子樹脂であることが好ましく、取り扱い性や分散安定性の観点から高分子樹脂であることが望ましい。
【００３０】
ガラスは、光拡散層の光透過性が失われるものでなければ特に限定されるものではないが、一般にはケイ酸塩ガラス、リン酸塩ガラス、ホウ酸塩ガラスなどの酸化ガラスなどがあげられる。
【００３１】
高分子樹脂は、光拡散層の光透過性が失われるものでなければ特に限定されず、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂などを用いることができる。
【００３２】
透明バインダー中に含有させる微粒子としては、シリカ、アルミナ、タルク、ジルコニア、酸化亜鉛、二酸化チタンなどの無機系の微粒子、ポリメチルメタクリレート、ポリスチレン、ポリウレタン、ベンゾグアナミン、シリコーン樹脂などの有機系の微粒子を使用することができる。
【００３３】
微粒子の粒子径としては、平均粒径で１〜２０μｍであることが好ましい。また、微粒子の粒径分布は、単分散性のものでよいし、多分散性のものでもよいが、映像の鮮明性をより高めるという観点からは、単分散性のものが好ましい。
【００３４】
透過型スクリーンは、光拡散層の単層から構成されているものでもよいが、プラスチックフィルムやガラスなどの透明基材上に光拡散層を有するものでもよい。
【００３５】
プロジェクタから画像を投影すると、光拡散層に画像を結像させることができ、光拡散層に結像させた画像を見ることができる。
【００３６】
透過型スクリーンの厚みは、光拡散層の単層から構成されるタイプ、透明基材上に光拡散層を有するタイプなど画像を良好に見ることができるものであればよく、２ｍｍ以下のものが好ましい。透過型スクリーンの厚みは、２ｍｍ以下とすることにより、光拡散層に結像された画像の光拡散のされ過ぎを防止しやすくして、スクリーンに投影された画像を鮮明にしやすくできる。また、透明基材を有した透過型スクリーンフィルムの場合には、透過型スクリーンフィルムの透明基材側を導光板に向けて配置させたときに、透明基材の厚みにより、スクリーンに結像された画像が光拡散され過ぎやすいものとなる。このため透過型スクリーンフィルムの透明基材の厚さは、１ｍｍ以下とするのが好ましい。
【００３７】
透過型スクリーンフィルムと導光板は、できるだけ接近させて設けるのが好ましい。たとえば、透明な粘着剤などを用いて透過型スクリーンフィルム（１０３）と導光板（１０１）とを貼り合せるようにする。このようにして、透過型スクリーンフィルム（１０３）と導光板（１０１）とを接するようにすると、背面投影スクリーンフィルム（１０３）と導光板（１０１）との隙間に発生する投影画像の拡散を少なくすることができる。このため、導光板（１０１）を通して見る背面投影スクリーンフィルム（１０３）に投影された画像を鮮明にして見やすくできる。
【００３８】
また、透過型スクリーンの光学特性として、ヘーズ（ＪＩＳ  Ｋ７１３６：２０００）は６０％以上が好ましく、８０％以上であることがより好ましい。このようにヘーズを６０％以上とすることにより、プロジェクタから投射された映像の視野角を十分広くすることができるとともに、表示部材の観察者とは反対側を見えづらくすることができる。また、ヘーズを高くしすぎると全光線透過率が低下して投映映像が暗くなる傾向にあることから、ヘーズの上限は９５％であることが好ましい。ヘーズは、光拡散層に含まれる微粒子の含有量や光拡散層の厚みを適宜調整することにより、上述した範囲とすることができる。なお、本発明の透過型スクリーンにおいては、全光線透過率（ＪＩＳ  Ｋ７３６１−１：１９９７）が７０％以上であることが好ましい。
【００３９】
背面投影スクリーンフィルム（１０３）は、図１のように、固定側枠（１０５）の内部に配置して固定された導光板（１０１）と、前記導光板（１０１）の一方の面に設けるようにする。
【００４０】
背面投影スクリーンフィルム（１０３）と導光板（１０１）とを配置するときに、粘着剤を用いてもよい。
【００４１】
たとえば接着剤は、アクリル系感圧接着剤、ゴム系感圧接着剤などが上げられる。これらの中でも、紫外線により黄変しづらいアクリル系感圧接着剤が好ましい。
【００４２】
光源（１０４）は、図１のように、導光板（１０１）の少なくとも一側端部に配置され発光する。たとえば、光源（１０４）の配置は、導光板（１０１）の周囲の辺に光源を収容する孔内に配置した状態で発光するようにしてもよい。
【００４３】
光源の周囲には、光が効率よく導光板に入射されるように、導光板側を除いて光源にハウジングやランプリフレクタなどで覆うのが好ましい。また、導光板の光源が配置されない側端部は、光もれを防止するため、反射テープを貼り合わせておくことが好ましい。
【００４４】
光源としては、蛍光灯、冷陰極管などを使用できるが、本発明の多機能ボードはＬＥＤが好適に使用できる。
【００４５】
ＬＥＤは、発光ダイオードを光源にしたことで、低消費電力で長寿命であることから、好適に用いることができる。また、ＬＥＤは、白色光のものが好ましく、ボードに書かれた文字の色を、演色性良くすることができる。ＬＥＤを用いると、発熱量を少なくすることができ、スクリーン、導光板、筆記層などへの加熱による変形を防止きる。また、ＬＥＤを用いると、発生する紫外線量を少なくすることができ、光に誘われて集まる虫を少なくできる。
【００４６】
筆記層（１０２）は、導光板（１０１）の背面投影スクリーンフィルム（１０３）を配置する側とは反対側の面に設ける。また、筆記層（１０２）は、導光板（１０１）の表面に配置される。
【００４７】
また、筆記層（１０２）は、黒板またはホワイトボード用マーカーによる筆記性および消去性を備える。
【００４８】
筆記層は、傷付き防止、反射防止、防眩などの機能を有するのが好ましい。このような筆記層（１０２）は、少なくとも基材層を有し、少なくとも一方の面が筆記消去可能な面である構造からなる。
【００４９】
ホワイトボードとして用いる場合には、筆記消去可能な面は、鏡面光沢度（ＪＩＳ Ｋ５６００−４−７：１９９９）が下限で７０％以上であることが好ましく、上限で１３５％以下であることが好ましく、１２０％以下であることがより好ましい。鏡面光沢度を７０％以上とすることにより、ホワイトボード用マーカーで書き込んだ文字などを容易に消去しやすくできる。また、鏡面光沢度を１３５％以下とすることにより、照明などの写り込みを防止しやすくできる。
【００５０】
また、筆記消去可能な面は、表面の硬度が鉛筆硬度（ＪＩＳ Ｋ５６００−５−４：１９９９）ＨＢ以上であることが好ましく、Ｈ以上であることがより好ましい。鉛筆硬度をＨＢ以上とすることにより、ホワイトボード用マーカーにより筆記消去を繰り返した際に傷が付くことを防止することができる。
【００５１】
筆記消去可能な面は、熱硬化型樹脂あるいは電離放射線硬化型樹脂などの硬化型樹脂で形成されていることが好ましい。このように、硬化型樹脂を用いると、表面硬度を鉛筆硬度ＨＢ以上とすることができ、傷つき防止を可能とすることができる。
【００５２】
黒板として用いる場合には、筆記消去可能な面は、筆記層に適度な凹凸を付与すると黒板として用いることがきる。この筆記消去可能な面の凹凸により、炭酸カルシウム製チョークを適当に削り取って筆記消去可能とすることができる。具体的には、筆記層表面が中心線表面粗さ（ＪＩＳ  Ｂ０６０１−１９８２）で０．５〜５μｍ（カットオフ値：０．８ｍｍ、測定長さ：５ｍｍ）程度となるように、筆記層表面に凹凸を付与することが好ましい。
【００５３】
このように筆記層に適度な凹凸を付与する手段としては、上述した基材表面を粗面化処理して、この上に筆記層を設ける方法によっても可能であるが、筆記層中にマット化剤を含有させる方法が好ましく採用される。このように、筆記層中にマット化剤を含有させると筆記消去可能な面の写り込みを防止しやすくできる。
【００５４】
このようなマット化剤としては、シリカ、アルミナ、二酸化チタン、タルク、炭酸カルシウム、硫酸バリウム、酸化ジルコニウム、クレイ、スチレン樹脂、ウレタン樹脂、アクリル樹脂、シリコーン樹脂等の公知の無機及び有機樹脂微粒子の１種又は２種以上を混合したものが使用可能である。
【００５５】
また、このようなマット化剤の平均粒子径としては、筆記層の他の性能を満たすために調整される膜厚に応じて適宜選択する必要があるが、好ましくは１〜３０μｍ、より好適には３〜２０μｍのものが望ましい。
【００５６】
筆記層の全光線透過率（ＪＩＳ  Ｋ７３６１−１：１９９７）は６０％以上であることが好ましい。さらに８０％以上であることがより好ましい。全光線透過率を８０％以上とすることにより、背面投影スクリーンフィルムに投影された画像と筆記層に書いた文字等とを明るくして見ることができる。
【００５７】
また、筆記層のヘーズ（ＪＩＳ Ｋ７１３６：２０００）は５０％以下であることが好ましい。５０％以下とすることにより、スクリーンに投影された画像の筆記層への写り込みをし難くさせることができ、スクリーンの画像を鮮明に見やすくさせやすい。
【００５８】
固定側枠（１０５）は、導光板（１０１）と、前記導光板（１０１）の一方の面に設けられた背面投影スクリーンフィルム（１０３）と、前記導光板（１０１）の前記背面投影スクリーンフィルム（１０３）を接着または配置する側とは反対側の面に設けられた筆記層（１０２）と、前記導光板（１０１）の少なくとも一つの端部に配置された前記光源（１０４）と、を配置して固定することができる。このようにして、多機能ボード（１）を形成した後、多機能ボード（１）中の固定側枠（１０５）は、後述する固定パイプ枠（３）と連結することができる。
【００５９】
固定側枠（１０５）は、導光板（１０１）、背面投影スクリーンフィルム（１０３）、筆記層（１０２）、光源（１０４）、などの積層体を配置して固定する。このため、固定側枠（１０５）は、積層体を固定しやすいように、固定側枠（１０５）の内部に、積層体との接触面積を増やすような凸部を設けてもよい。
【００６０】
固定側枠（１０５）は、上述した積層体の少なくとも一辺以上を含むようにする。好ましくは、積層体の全辺を含むようにする。このように積層体の全辺を含む形態とすることで多機能ボード（１）を保護しやすくできる。たとえば、多機能ボード（１）の外周部に加わる衝撃から保護しやすくできる。また、多機能ボード（１）中への埃の混入を防止しやすくできる。
【００６１】
固定側枠（１０５）は筐体として用いるため機械強度を要する。このため、固定側枠（１０５）の材質は、鉄、ステンレス、アルミニウムなどの金属を加工したものが好適に用いられる。これらの金属以外に、熱、強度、耐久性に問題がなければ、プラスチックなどの樹脂を形成して作製したものを用いてもよい。
【００６２】
以上のように、本発明の多機能ボードは、背面投影スクリーンフィルム（１０３）を用いて、ボードの使用者がいない背面からプロジェクタを用いて画像をスクリーンに投影する構成となっている。このため、プロジェクタから投影した光線は、人の体や顔などを照射することがなく、人影を映してボードを見づらくさせるということもない。また、背面から画像を投影するので、ボードの前に立って説明したりしても投影の邪魔にならないという効果が得られる。
【００６３】
次に、本発明の脚付き多機能ボードについて説明する。
【００６４】
脚付き多機能ボード（１−１）は、図２のように、多機能ボード（１）の固定側枠（１０５）に、後述する固定パイプ枠（３）と、ローラー（５）を下部支脚（２）の底部に配置した下部支脚（２）と、を連結し固定して成る。
【００６５】
連結して固定する方法としては、特に限定されないが、連結と解除の自在な連結部を設ける。たとえば、連結部はボルトを連結用の穴に通してナットで連結して固定する方法にしてもよい。または、連結部は押圧レバーを用いた装置で連結して固定する方法などを用いてもよい。これ以外にも、さまざまな連結部を用いることができる。
【００６６】
固定パイプ枠（３）は、多機能ボード（１）の固定側枠（１０５）と連結し、下部支脚（２）と連結して固定することができる。もし、脚付き多機能ボード（１−１）から多機能ボード（１）のみを分離して使用したいというときには、固定パイプ枠（３）と多機能ボード（１）との連結部を解除して、多機能ボード（１）のみを分離して使用することができる。
【００６７】
固定パイプ枠（３）は、黒板やホワイトボードとして使用するときに必要な筆記用具などを置く台などを配置してもよいし、光源からの発熱を放熱させる排気装置などを設けてもよい。
【００６８】
固定パイプ枠（３）の材質は、特に限定されないが、鉄、ステンレス、アルミニウムなどの金属を加工したものが用いられる。また、固定パイプ枠（３）は、軽量化できることから管状にするのが好ましい。
【００６９】
下部支脚（２）は、固定パイプ枠（３）と連結し、多機能ボード（１）を支持することができる。
【００７０】
下部支脚（２）は、多機能ボード（１）を支持するため、機械強度を要する。このため、下部支脚（２）の材質は、鉄、ステンレス、アルミニウムなどの金属を加工したものが用いられる。また、下部支脚（２）は、軽量化できることから管状にするのが好ましい。
【００７１】
ローラー（５）は、下部支脚（２）の底部に配置され、ローラー（５）に設けられた回転部によって脚付き多機能ボード（１−１）の移動が容易に可能となる。このようなローラー（５）は、公知技術を用いたものを用いることができる。
【００７２】
電源（４）は、多機能ボード（１）の光源（１０４）と連結して、光源（１０４）の発光に必要な電力を供給することができる。また、電源（４）は、光源（１０４）の発光に必要な装置を、多機能ボード（１）の内部または外部に用いてもよい。
【００７３】
以上のように、本発明の脚付き多機能ボードによると、必要に応じて多機能ボードを取り外して使用することができる。また、脚付き多機能ボードの移動が容易にできて便利に使用できる。さらに、本発明の脚付き多機能ボードは、普通の黒板やホワイトボードの機能があり、発光機能により多機能ボードの板面からの蛍光が発光され、ボードに書いた文字などが暗い環境でも生き生きとしてはっきり見ることができる。また、プロジェクタを利用して背面から投影した内容を正面からはっきり見ることができる。
【００７４】
さらに、スクリーンに投影しながらボードの正面に文字などを書いて使用できるので、画像の投影と筆記とを同時に利用することができ、非常に便利に使用できるという効果が得られる。
【実施例】
【００７５】
以下、実施例により本発明を説明する。尚、「部」「％」は特記しない限り、重量基準である。
【００７６】
［実施例１]
縦４７０ｍｍ×横７５０ｍｍ、厚さ６ｍｍの導光板（パネビー L-Type：きもと社）を用い、この導光板の片面に、縦４７０ｍｍ×横７５０ｍｍの背面投影スクリーンフィルム（ディラッドスクリーン  WSK-60：きもと社）を用いて、背面投影スクリーンフィルムの粘着層を介して貼り付けた。さらに、導光板の背面投影スクリーンフィルムを貼り付けた側とは反対側となる面に、縦４７０ｍｍ×横７５０ｍｍ、厚さ１８８μｍの基材にハードコート層を設けてなる筆記層（ＫＢフィルム  N05S：きもと社）を貼り付けて、積層体を得た。
【００７７】
次いで、積層体の長辺側の両端部に、ハウジングに収納された白色ＬＥＤ光源（ＡＴＺ−ＬＥ００４、ハウジング高さ１．５ｃｍ：アットキュー社）を８ブロック配置した。なお、用いたＬＥＤ光源は、１ブロックあたり６個のＬＥＤ光源を有してなり、駆動電圧ＤＣ２０Ｖ、１ブロックの消費電力１０５ｍｍＡ、光束７００ルーメンのものである。
【００７８】
次いで、積層体に配置したハウジング部分に反射テープを貼り付けて光源から直接光が漏れないようにした。
【００７９】
次いで、縦５８ｃｍ×横８３ｃｍ×高さ１．８ｃｍの固定側枠（アルミ製シャーシ）を準備した。
【００８０】
その後、固定側枠（１０５）に、光源が設置された積層体を配置して固定した後、固定側枠の上下に１０ｃｍずつ、固定側枠の左右に４ｃｍずつ、それぞれ目隠し板を取り付けて多機能ボード（１）を得た。
【００８１】
次いで、アルミニウムを成形して、固定パイプ枠（３）、固定側枠（１０５）、下部支脚（２）を得た。その後、多機能ボード（１）の固定側枠（１０５）と、固定パイプ枠（３）、下部支脚（２）とを連結した。さらに、下部支脚（２）にローラー（５）を取り付けて、脚付き多機能ボード（１−１）を得た。
【００８２】
室内照明を点灯した環境にして、実施例１の脚付き多機能ボードの光源を光らせた。さらに筆記層とは反対側から背面投影スクリーンフィルムにプロジェクタを用いて画像を投影し、筆記層の表面にホワイトボードマーカーを用いて筆記し文字を形成させた。その後、筆記層側から観察して文字と画像の視認性について目視評価を行った。その結果、実施例１のものは、文字と画像が大変見やすく視認性に優れるものであった。特に、脚付き多機能ボードの光源を光らせて用いたため、筆記した文字は、文字部と非文字部とのコントラストを高くして見ることができ、大変見やすいものであった。なお、ホワイトボードマーカーで書いた文字は簡単に消去できるものであった。
【００８３】
次いで、室内照明を消灯した環境にして、実施例１の脚付き多機能ボードを同様にしてテストし、文字と画像の視認性について同様にして目視評価を行った。その結果、実施例１のものは、室内照明を消灯した暗い環境にもかかわらず、脚付き多機能ボードの光源を光らせて用いたことで、文字に光をあてて明るくして見ることができ大変見やすいものであった。また、画像も画質を低下させることなく鮮明に見ることができた。このため、文字と画像は同様に視認性に優れるものであった。
【符号の説明】
【００８４】
１・・・・多機能ボード
１−１・・・脚付き多機能ボード
１０１・・・導光板
１０２・・・筆記層
１０３・・・背面投影スクリーンフィルム
１０４・・・光源
１０５・・・固定側枠
２・・・・下部支脚
３・・・・固定パイプ枠
４・・・・電源
５・・・・ローラー
【図１】
2011053677.tif 000003
【図２】
2011053677.tif 000004